(57)【要約】【課題】医者等のユーザが、光源を有する額帯鏡代替器によって患者の患部等の観察対象物を観察している場合に、その観察対象物を容易にカメラによって撮影可能な電子額帯装置を提供する。【解決手段】略中央に覗き孔を有する枠体１１と、枠体１１の一方の面の覗き孔１６の周りに設けられており、光を発する複数の発光部１２と、枠体１１の一方の面であって、発光部１２と同一の面に設けられ、覗き孔１６から見た位置を撮影するカメラ部１３と、カメラ部１３で撮影した画像データを出力する出力部１４と、枠体１３をユーザの頭部に装着する額帯１５と、を備える。【選択図】図１
2007236523.tif 000002
【特許請求の範囲】
【請求項１】
略中央に覗き孔を有する枠体と、
前記枠体の一方の面の前記覗き孔の周りに設けられており、光を発する１以上の発光部と、
前記枠体の一方の面であって、前記発光部と同一の面に設けられ、前記覗き孔から見た位置を撮影するカメラ部と、
前記カメラ部で撮影した画像データを出力する出力部と、
前記枠体をユーザの頭部に装着する装着機構と、を備えた電子額帯装置。
【請求項２】
前記装着機構は、前記枠体に接続され、ユーザの頭部に装着可能な額帯である、請求項１記載の電子額帯装置。
【請求項３】
前記装着機構は、前記ユーザが装着するメガネに装着可能なものである、請求項１記載の電子額帯装置。
【請求項４】
前記装着機構は、ユーザが装着するメガネであり、
ユーザが前記メガネを装着した場合に、当該ユーザの一方の目の位置に前記覗き孔が存在するように、前記枠体が前記メガネに設けられている、請求項１記載の電子額帯装置。
【請求項５】
前記発光部は、発光ダイオードである、請求項１から請求項４のいずれか記載の電子額帯装置。
【請求項６】
前記枠体には、複数の発光部が設けられており、当該複数の発光部は、前記覗き孔の周りに略均等に設けられている、請求項１から請求項５のいずれか記載の電子額帯装置。
【請求項７】
前記複数の発光部は、少なくとも２種類の光を発するものである、請求項６記載の電子額帯装置。
【請求項８】
前記発光部から発せられる光の量を各種類の光ごとに調整する調光部をさらに備えた、請求項７記載の電子額帯装置。
【発明の詳細な説明】
【技術分野】
【０００１】
本発明は、従来の額帯鏡に代替しうる電子額帯装置に関する。
【背景技術】
【０００２】
従来、凹面鏡の真ん中に覗き孔を有し、その覗き孔から患者の患部等を観察する額帯鏡が耳鼻咽喉科の医者等によって用いられていた。また、そのような額帯鏡に代えて、光源を有する額帯鏡代替器（ＨＭＲ：Ｈｅａｄ  Ｍｉｒｒｏｒ  Ｒｅｐｌａｃｅｍｅｎｔ）も開発されている（例えば、特許文献１、非特許文献１参照）。
【特許文献１】特開２００６−３４８３７
【非特許文献１】庄司和彦、児嶋剛、「ＨＭＲの概要と観察所見−高輝度白色ＬＥＤによる額帯鏡代替器−」、耳鼻臨床、耳鼻咽喉科臨床学会、２００５年９月、第９８巻、第９号、ｐ．６８２〜６８３
【発明の開示】
【発明が解決しようとする課題】
【０００３】
一方、従来の額帯鏡等によって患者の患部を観察して記録をとる場合には、患者の患部の様子を医者等が紙等に手書きで書かなければならなかった。あるいは、別途、小型カメラと照明とを用いて撮影を行わなければならなかった。このように、患者の患部等の記録を残すために、煩雑な作業が必要となる問題があった。
【０００４】
本発明は、上記問題点を解決するためになされたものであり、医者等のユーザが光源を有する額帯鏡代替器によって患者の患部等の観察対象物を観察している場合に、その観察対象物を容易に撮影可能な電子額帯装置を提供することを目的とする。
【課題を解決するための手段】
【０００５】
上記目的を達成するため、本発明による電子額帯装置は、略中央に覗き孔を有する枠体と、前記枠体の一方の面の前記覗き孔の周りに設けられており、光を発する１以上の発光部と、前記枠体の一方の面であって、前記発光部と同一の面に設けられ、前記覗き孔から見た位置を撮影するカメラ部と、前記カメラ部で撮影した画像データを出力する出力部と、前記枠体をユーザの頭部に装着する装着機構と、を備えたものである。
【０００６】
このような構成により、ユーザは、頭部に装着された電子額帯装置を用いることにより、発光部から発せられた光によって照射された観察対象物を観察することができ、また、その観察対象物の撮影を行うことができる。その結果、暗いところでも、観察対象物を観察し、その観察対象物の撮影を行うことができる。また、観察対象物を手書きでスケッチする必要がなくなり、さらに、観察対象物を撮影するために、小型カメラ等を用意するなどの煩雑な作業が必要なくなる。例えば、耳鼻咽喉科の医者等のユーザが、患者の耳の中などの観察対象物を観察すると同時に、耳鼻咽喉科の医者等のユーザの目から見た観察対象物の画像データを記録したり、あるいは、モニタに表示したりすることができる。
【０００７】
また、本発明による電子額帯装置では、前記装着機構は、前記枠体に接続され、ユーザの頭部に装着可能な額帯であってもよい。
このような構成により、従来の額帯鏡と同様の電子額帯装置を提供することができる。その結果、従来の額帯鏡を使い慣れている耳鼻咽喉科の医者等のユーザは、この電子額帯装置を違和感なく、容易に使いこなすことができうる。
【０００８】
また、本発明による電子額帯装置では、前記装着機構は、前記ユーザが装着するメガネに装着可能なものであってもよい。
このような構成により、ユーザが掛けているメガネに電子額帯装置を装着することができ、メガネを掛けているユーザにとって便利な電子額帯装置を提供することができる。
【０００９】
また、本発明による電子額帯装置では、前記装着機構は、ユーザが装着するメガネであり、ユーザが前記メガネを装着した場合に、当該ユーザの一方の目の位置に前記覗き孔が存在するように、前記枠体が前記メガネに設けられていてもよい。
【００１０】
このような構成により、メガネを装着するように電子額帯装置を装着することができ、従来の額帯鏡に慣れていないユーザであっても、容易に電子額帯装置を装着することができうる。
【００１１】
また、本発明による電子額帯装置では、前記発光部は、発光ダイオードであってもよい。
このような構成により、発光部に小型白熱電球等を用いる場合に比べて、消費電力を少なくすることができうる。
【００１２】
また、本発明による電子額帯装置では、前記枠体には、複数の発光部が設けられており、当該複数の発光部は、前記覗き孔の周りに略均等に設けられていてもよい。
このような構成により、観察対象物をより均等な光で照射することが可能となり、ユーザが観察対象物を観察しやすくすることができうる。例えば、ユーザが鼻腔や外耳道等を観察する場合に、影ができないようにすることができうる。
【００１３】
また、本発明による電子額帯装置では、前記複数の発光部は、少なくとも２種類の光を発するものであってもよい。
このような構成により、複数の発光部から発せられた光をより自然光に近づけることができうる。
【００１４】
また、本発明による電子額帯装置では、前記発光部から発せられる光の量を各種類の光ごとに調整する調光部をさらに備えてもよい。
このような構成により、複数の発光部から発せられる光の種類をユーザの好みに応じて変更することが可能となる。その結果、ユーザは、自分の好みにあった光で観察対象物を観察することができることになる。
【発明の効果】
【００１５】
本発明による電子額帯装置によれば、ユーザは、頭部に装着された電子額帯装置を用いることにより、発光部から発せられた光によって照射された観察対象物を観察することができ、また、その観察対象物の撮影を行うことができる。
【発明を実施するための最良の形態】
【００１６】
以下、本発明による電子額帯装置について、実施の形態を用いて説明する。なお、以下の実施の形態において、同じ符号を付した構成要素は同一または相当するものであり、再度の説明を省略することがある。
【００１７】
（実施の形態１）
本発明の実施の形態１による電子額帯装置について、図面を参照しながら説明する。
図１は、本実施の形態による電子額帯装置１を示す図である。図１において、本実施の形態による電子額帯装置１は、枠体１１と、複数の発光部１２と、カメラ部１３と、出力部１４と、額帯１５とを備える。
【００１８】
枠体１１は、従来の額帯鏡における凹面鏡に対応するものであり、略中央に覗き孔１６を有する。覗き孔１６の直径は、１０ｍｍ程度であってもよく、１５ｍｍ程度であってもよく、枠体１１の一方の側から他方の側を見ることができる大きさを有しているのであれば、その大きさを問わない。ただし、覗き孔１６は、あまり大きくない方が好ましい。後述する発光部１２やカメラ部１３がユーザの視点に近い位置に配設された方が好適だからである。覗き孔１６は、単なる孔であってもよく、あるいは、その中にガラスやレンズ等が入れられていてもよい。枠体１１の形状は問わない。図１で示される枠体１１は、外側の輪郭が波打つような花に似た形状となっているが、枠体１１は、例えば、外側の輪郭も円形のドーナッツ形状であってもよい。
【００１９】
発光部１２は、枠体１１の一方の面の覗き孔１６の周りに複数個、設けられており、光を発する。発光部１２は、例えば、発光ダイオード（ＬＥＤ）や、小型白熱電球などによって実現することができる。発光部１２の発する光は、電子額帯装置１を使用するユーザが観察対象物を観察しやすいように、自然光に近い色であることが好ましい。この自然光に近い色は、各発光部１２が自然光に近い色を発することによって実現されてもよく、カクテル光線のように、複数の発光部１２からの光線が混ざることによって実現されてもよい。なお、ユーザが覗き孔１６から対象物を観察する場合に、その対象物に発光部１２の発する光が照射されるように、発光部１２の光軸と、視軸とは一致することが好ましい。ここで、視軸とは、ユーザが覗き孔１６を介して対象物を観察する場合における視軸である。
【００２０】
カメラ部１３は、枠体１１の一方の面であって、発光部１２が設けられている面と同一の面に設けられる。カメラ部１３は、覗き孔１６から見た位置を撮影する。すなわち、カメラ部１３によって、覗き孔１６を介してユーザが観察する観察対象物を撮影することができる。このようにするために、カメラ部１３のカメラ軸と、視軸とは一致することが好ましい。カメラ部１３による撮影は、動画であってもよく、あるいは、静止画であってもよい。カメラ部１３は、イメージセンサ（例えば、ＣＣＤやＣＭＯＳなど）とレンズ等を有している。カメラ部１３は、撮影した画像をＪＰＥＧ等の形式に変換する画像エンジン等を有してもよく、あるいは、有さなくてもよい。カメラ部１３によって撮影された画像データは、デジタルデータであってもよく、あるいは、アナログデータであってもよい。
【００２１】
なお、複数の発光部１２は、例えば図１で示されるように、覗き孔１６の周りに略均等に設けられることが好ましい。図１では、複数の発光部１２と、カメラ部１３とが、覗き孔１６の周りに均等に設けられている。カメラ部１３の位置は、図１に限定されるものではない。例えば、複数の発光部１２が覗き孔１６の周りに均等に設けられ、その複数の発光部１２よりも覗き孔１６に対して外側、あるいは内側に、カメラ部１３が設けられてもよい。
【００２２】
出力部１４は、図示しない経路によって、カメラ部１３で撮影した画像データを受け取り、その画像データを出力する。ここで、この出力は、例えば、表示デバイス（例えば、ＣＲＴや液晶ディスプレイなど）への表示でもよく、所定の機器への有線または無線の通信回線を介した送信でもよく、プリンタによる印刷でもよく、記録媒体への蓄積でもよく、出力端子を介して他の機器等に画像データを伝えることでもよい。なお、出力部１４は、出力を行うデバイスを含んでもよく、あるいは含まなくてもよい。また、出力部１４は、ハードウェア（例えば、表示デバイスや通信デバイス、出力端子等）によって実現されてもよく、あるいは、それらのデバイスを駆動するドライバ等のソフトウェアによって実現されてもよい。また、出力部１４が出力する画像データは、アナログデータ（例えば、コンポジットビデオデータや、コンポーネントビデオデータ等）であってもよく、デジタルデータ（例えば、ＪＰＥＧ等のデータや、ＲＧＢデータ等）であってもよい。
【００２３】
額帯１５は、枠体１１をユーザの頭部に装着することができるものである。この額帯１５は、従来の額帯鏡で用いられるものと同様のものであり、その詳細な説明を省略する。
【００２４】
ここで、発光部１２やカメラ部１３、出力部１４等には、電池等の電源から電力が供給されてもよく、家庭用の電気配線等からの電力がＡＣアダプタ等を介して供給されてもよい。
【００２５】
次に、本実施の形態による電子額帯装置の使用方法について説明する。ユーザは、額帯１５を頭部に装着する。そして、複数の発光部１２から光が発せられている状態で、覗き孔１６から観察対象物を観察する。そのときに、カメラ部１３による撮影を行うことによって、カメラ部１３で撮影された画像データが、例えば、電子額帯装置１において蓄積されたり、電子額帯装置１から他の情報処理装置に送信されたりする。そして、その蓄積された画像データや、情報処理装置に送信された画像データをユーザ自身が、あるいは、他の人が見ることができる。
【００２６】
以上のように、本実施の形態による電子額帯装置１によれば、枠体１１に配設された複数の発光部１２から発せられた光によって、ユーザは覗き孔１６を介して観察対象物を適切に観察することができる。また、ユーザが観察したのと同じような画像を、カメラ部１３によって撮影することができる。その画像は、ユーザが観察対象物を見ているときに他の人がモニタしてもよく、あるいは、蓄積しておいて、記録として用いてもよい。また、従来の額帯鏡と同様の形態を有することによって、耳鼻咽喉科の医者等によって使用しやすい電子額帯装置となる。このように、耳鼻咽喉科用の照明付き撮影装置を提供することが可能となる。
【００２７】
なお、本実施の形態では、枠体１１に２以上の発光部１２が設けられている場合について説明したが、枠体１１に設けられる発光部１２は、１個であってもよい。すなわち、枠体１１には、１以上の発光部が設けられていればよい。
【００２８】
また、枠体１１が有する複数の発光部１２が、少なくとも２種類の光を発するものであってもよい。例えば、図２で示されるように、枠体１１には、４個の電球色（Ｗａｒｍ  Ｗｈｉｔｅ）の発光部（ＬＥＤ）１２ａと、３個の白色（Ｗｈｉｔｅ）の発光部（ＬＥＤ）１２ｂとが交互に設けられてもよい。このようにすることで、複数の発光部１２ａ，１２ｂから発せられる光がカクテル光線となり、より自然光に近い光となりうる。なお、どのような色の発光部１２を用いるのか、また、その複数の種類の光を発する発光部１２をどのように配列するのかについては任意であるが、図２で示されるように、複数の発光部１２から発せられた光が全体として均一なものとなるためには、交互に配列することが好ましい。また、複数の発光部１２が少なくとも２種類の光を発する場合に、発光部１２から発せられる光の量を、各種類の光ごとに調整する調光部２１を設けてもよい。例えば、上記の例の場合には、図３で示されるように、電球色の発光部１２ａから発せられる光の量と、白色の発光部１２ｂから発せられる光の量とをそれぞれ独立にダイヤルを回すことによって調整することができる調光部２１を設けてもよい。この調光部２１によって各種類の光の量を独立して調整可能となる。その結果、電子額帯装置１を使用する耳鼻咽喉科の医者等が、自分の好みに合う光で患者の耳の中などの観察対象物を見ることができるようになる。なお、調光部２１の構成は、従来からすでに知られており、その詳細な説明を省略する。また、ここでは、複数の発光部１２が２種類の光を発する場合について説明したが、複数の発光部１２は、３種類以上の光を発してもよい。
【００２９】
また、本実施の形態では、枠体１１をユーザの頭部に装着する装着機構として、枠体１１に接続され、ユーザの頭部に装着可能な額帯１５を用いる場合について説明したが、額帯１５以外の機構を、枠体１１をユーザの頭部に装着する装着機構として用いてもよい。
【００３０】
例えば、その装着機構は、ユーザが装着するメガネであってもよい。ユーザがそのメガネを装着した場合に、ユーザの一方の目の位置に覗き孔１６が存在するように、枠体１１がメガネに設けられていることが好ましい。例えば、図４、図５で示されるように、電子額帯装置２、３は、枠体１１をユーザの頭部に装着する装着機構として、メガネ３１、オーバーメガネ３２を備えてもよい。ここで、オーバーメガネ３２とは、メガネの上から装着することができるメガネである。図４で示されるように、枠体１１の設けられていない側のフレームには、ダミーレンズ３３が入れられていてもよく、ダミーレンズなしであってもよく、あるいは、ユーザが度入りのレンズを必要な場合には、度入りのレンズが入れられていてもよい。なお、装着機構がメガネ３１やオーバーメガネ３２である以外、上記説明と同様であって、それらの説明を省略する。
【００３１】
また、例えば、前述の装着機構は、ユーザが装着するメガネに装着可能なものであってもよい。例えば、図６で示されるように、電子額帯装置４は、枠体１１をユーザの頭部に装着する装着機構として、ユーザの装着するメガネ４１のレンズに装着可能な装着機構４２を有してもよい。装着機構４２は、メガネ４１のレンズを前後から挟む機構を有しており、その結果、枠体１１をメガネ４１に装着することができる。その装着機構４２は、図７で示されるように、枠体１１を上方に跳ね上げることができる機構を有してもよい。図７で示されるように、枠体１１を跳ね上げることによって、メガネ４１を装着しているユーザは、電子額帯装置４を使用しないときには、枠体１１を跳ね上げておくことができ、電子額帯装置４を使用するときには、枠体１１を下げることによって、観察対象物の観察が可能となる。なお、ユーザが装着するメガネ４１に枠体１１を装着する機構や、枠体１１を跳ね上げる機構については、メガネに着脱可能なサングラス等として従来からすでに知られており、その詳細な説明を省略する。
【００３２】
また、上記実施の形態において、各処理または各機能は、単一の装置または単一のシステムによって集中処理されることによって実現されてもよく、あるいは、複数の装置または複数のシステムによって分散処理されることによって実現されてもよい。
【００３３】
また、上記実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
また、本発明は、以上の実施の形態に限定されることなく、種々の変更が可能であり、それらも本発明の範囲内に包含されるものであることは言うまでもない。
【産業上の利用可能性】
【００３４】
以上より、本発明による電子額帯装置によれば、ユーザが覗き孔から見た観察対象物をカメラ部によって撮影することができ、ユーザが観察対象物を見ながら、その観察対象物を撮影する電子額帯装置として有用である。
【図面の簡単な説明】
【００３５】
【図１】本発明の実施の形態１による電子額帯装置を示す図
【図２】同実施の形態における複数の発光部の配列について説明するための図
【図３】同実施の形態による電子額帯装置の他の一例を示す図
【図４】他の実施の形態による電子額帯装置の一例を示す図
【図５】他の実施の形態による電子額帯装置の一例を示す図
【図６】他の実施の形態による電子額帯装置の一例を示す図
【図７】他の実施の形態による電子額帯装置の一例を示す図
【符号の説明】
【００３６】
１〜４  電子額帯装置
１１  枠体
１２  発光部
１３  カメラ部
１４  出力部
１５  額帯
１６  覗き孔
２１  調光部
４２  装着機構
【図１】
2007236523.tif 000003
【図２】
2007236523.tif 000004
【図３】
2007236523.tif 000005
【図４】
2007236523.tif 000006
【図５】
2007236523.tif 000007
【図６】
2007236523.tif 000008
【図７】
2007236523.tif 000009